(57)【特許請求の範囲】
【請求項１】
順次連設されて周壁を形成する側壁（１１ａ，ｂ）および該側壁（１１ａ，ｂ）より周方向の幅が短い端壁（１２ａ，ｂ）からなり、前記側壁（１１ａ，ｂ）の上端および下端には外フラップ（１３ａ，ｂ，ｃ，ｄ）が設けられ、また前記端壁（１２ａ，ｂ）の上端および下端には内フラップ（１４ａ，ｂ，ｃ，ｄ）が設けられた包装箱（１）において、
前記包装箱（１）を平たく折り畳んだ状態で、前記外フラップ（１３ａ）と前記内フラップ（１４ａ）との間に構成される溝部（１９）と対向する外フラップ（１３ｃ）に、その先端が外フラップ（１３ａ）側に位置し基端が内フラップ（１４ａ）側に位置するように傾斜して延び、前記終端（１６ａ）が該外フラップ（１３ｃ）と前記側壁（１１ｂ）との間に位置する折曲線（１８）まで達する切込み（１６）を設けることにより係止片（１７）を形成し、該係止片（１７）を前記溝部（１９）に挿入して前記溝部（１９）を構成する外フラップ（１３ａ）と係止させたことを特徴とする包装箱。
【発明の詳細な説明】
【０００１】
【発明の属する技術分野】
本発明は、包装箱に関するものである。
【０００２】
【従来の技術】
従来、ダンボールなどの紙材料からなる矩形状の箱１００は、使用しない時、例えば、図７に示すように、天壁及び底壁のフラップを開いてから平たく折り畳んだ状態で保管する。
【０００３】
【発明が解決しようとする課題】
しかしながら、前記包装箱１００では、包装箱１００を折り畳んだとしても紙材料の反発により浮き上がり、保管する際にかさばるという問題があった。
【０００４】
そこで、本発明は、平たく折り畳んだ状態を維持できる包装箱を提供することを課題とする。
【０００５】
【課題を解決するための手段】
本発明は、前記課題を解決するための手段として、順次連設されて周壁を形成する側壁および該側壁より周方向の幅が短い端壁からなり、前記側壁の上端および下端には外フラップが設けられ、また前記端壁の上端および下端には内フラップが設けられた包装箱において、前記包装箱を平たく折り畳んだ状態で、前記外フラップと前記内フラップとの間に構成される溝部と対向する外フラップに、その先端が外フラップ側に位置し基端が内フラップ側に位置するように傾斜して延び、前記終端が該外フラップと前記側壁との間に位置する折曲線まで達する切込みを設けることにより係止片を形成し、該係止片を前記溝部に挿入して前記溝部を構成する外フラップと係止させたものである。
【０００６】
前記発明では、包装箱を平たく折り畳んだ状態で、溝部と対向する外フラップに形成された係止片を溝部に挿入して溝部を構成する外フラップに係止させたので、包装箱を平たく折り畳んだ状態で維持できる。
【０００７】
前記切込みの終端は、前記外フラップと前記側壁との間に位置する折曲線まで達するように設けているため、前記溝部に係止片を挿入する作業が行ないやすくなる。
【０００８】
【発明の実施の形態】
以下、本発明の実施の形態を添付図面にしたがって説明する。
【０００９】
図１は、本発明に係る包装箱１であって、打抜き刃を用いて紙材料から裁断される。前記包装箱１は、順次連設された側壁１１ａ，ｂおよび端壁１２ａ，ｂからなる。前記側壁１１ａ，ｂの上端および下端には外フラップ１３ａ，ｂ，ｃ，ｄがそれぞれ設けられ、また前記端壁１２ａ，ｂの上端および下端には内フラップ１４ａ，ｂ，ｃ，ｄがそれぞれ設けられている。また、前記側壁１１ｂの前記端壁１２ｂが連設されている一端とは反対側の他端には、糊付片１５が連設されている。また、前記外フラップ１３ｃには、外フラップ１３ｃの上端（先端）から基端に向かって切込み１６が設けられ、係止片１７が形成されている。前記切込み１６の終端１６ａは、前記外フラップ１３ｃと前記側壁１１ｂとの間に位置する折曲線１８まで達することが好ましい。
【００１０】
前記側壁１１ａ，ｂおよび前記外フラップ１３ａ，ｂ，ｃ，ｄの周方向の幅は５８６ｍｍであり、高さは２４９ｍｍおよび１９０ｍｍとなっている。また、前記端壁１２ａおよび前記内フラップ１４ａ，ｂの周方向の幅は３７３ｍｍであり、高さは２４９ｍｍおよび１９０ｍｍとなっている。前記端壁１２ｂおよび前記内フラップ１４ｃ，ｄの周方向の幅は３７６ｍｍであり、高さは２４９ｍｍおよび１９０ｍｍとなっている。また、前記切込み１６は、外フラップ１３ｃの上端の図１中右端から３７６ｍｍの位置より基端に向かって設けられ、終端１６ａは、前記折曲線１８の図１中右端から３４６ｍｍの位置に位置する。この寸法設定により、前記切込み１６は、外フラップ１３ａと内フラップ１４ａとの間に構成される溝部１９と対向する外フラップ１３ａにおいて、その先端が外フラップ１３ａ側に位置し、終端１６ａが内フラップ１４ａ側に位置するように傾斜して延び、前記終端１６ａが該外フラップ１３ｃと前記側壁１１ｂとの間に位置する折曲線１８まで達するように構成されている。
【００１１】
そして、裁断された紙材料の端壁１２ａと糊付片１５とを糊着して周壁を形成する。次に、内フラップ１４ｂ，ｄに外フラップ１３ｂ，ｄを重ね合せて糊着して底壁を形成する。このように組立られた包装箱１に収容物を収納し、内フラップ１４ａ，ｃに外フラップ１３ａ，ｃを重ね合せて糊着して天壁を形成する。これにより、収容物が包装箱１に梱包される。
【００１２】
次に、前記構成からなる包装箱１を使用後、不要となった包装箱１を保管する場合について説明する。
【００１３】
図２（ａ）に示すように、包装箱１の天壁および底壁を開封して平たく折り畳む。このとき、係止片１７は、外フラップ１３ａと内フラップ１４ａとの間に構成される溝部１９と対向する位置に位置する。そして、この係止片１７を図２（ａ）中、矢印で示すように溝部１９に挿入すると、図２（ｂ）に示すように、係止片１７は溝部１９を構成する外フラップ１３ａと係止する。これにより、包装箱１を平たく折り畳まれた状態で維持することが可能となる。
【００１４】
前記実施形態の変形例として、図３（ａ），（ｂ），（ｃ）の各図に示すように、湾曲した切込み１６を設けてもよい。さらに、図３の各図に示すように、前記切込み１６の終端１６ａに、アール部１６ｂを設けることが好ましい。これにより、切込み１６の終端１６ａから破断が生じた場合でも側壁１１ｂまで破れることを回避できる。
【００１５】
また、前記実施形態の他の変形例として、図４に示すように、前記係止片１７の図４中左方に、外フラップ１３ｃの上端（先端）から基端に向かって切込み２０を設けてもよい。これにより、前述したように係止片１７を溝部１９に挿入する際に、容易に係止片１７を曲げることができ挿入作業が行ないやすくなる。
【００１６】
また、図５に示すように、前記切込み２０を、外フラップ１３ｃの上端の図５中左端から３７６ｍｍの位置より基端に向かって設け、切込み２０の終端２０ａを、前記折曲線１８の図５中左端から３４６ｍｍの位置に設けることが好ましい。これにより、図６に示すように、前記図２（ａ）における包装箱１の折り畳み方とは異なる折り畳み方をした場合でも、係止片１７を溝部１９’に挿入でき、包装箱１を平たく折り畳まれた状態で維持できる。
【００１７】
【発明の効果】
以上の説明から明らかなように、本発明によれば、順次連設されて周壁を形成する側壁および該側壁より周方向の幅が短い端壁からなり、側壁の上端および下端には外フラップが設けられ、また端壁の上端および下端には内フラップが設けられた包装箱において、包装箱を平たく折り畳んだ状態で、外フラップと内フラップとの間に構成される溝部と対向する外フラップに、該外フラップの先端から基端に向かって切込みを設けることにより係止片を形成し、係止片を溝部に挿入して溝部を構成する外フラップと係止させたので、包装箱を平たく折り畳んだ状態で維持することができる。この状態で複数の包装箱を重ねて保管すると全体の容積がかさばらないので、保管スペースが少なくて済むという効果を奏する。
【図面の簡単な説明】
【図１】本発明の実施形態に係る包装箱の展開図。
【図２】（ａ）は、図１の包装箱を平たく折り畳んだ状態を示した斜視図。（ｂ）は、（ａ）の係止片を溝部に挿入した状態を示した斜視図。
【図３】（ａ），（ｂ），（ｃ）は、図１の包装箱の変形例を示した斜視図。
【図４】図１の包装箱の変形例を示した斜視図。
【図５】図１の包装箱の変形例を示した展開図。
【図６】図５の包装箱を平たく折り畳んだ状態を示した斜視図。
【図７】従来の包装箱を平たく折り畳んで重ねた状態を示した斜視図。
【符号の説明】
１…包装箱、１１ａ，ｂ…側壁、１２ａ，ｂ…端壁、
１３ａ，ｂ，ｃ，ｄ…外フラップ、１４ａ，ｂ，ｃ，ｄ…内フラップ、
１６…切込み、１７…係止片、１９…溝部。
【図１】
0003581127.tif 000002
【図２】
0003581127.tif 000003
【図３】
0003581127.tif 000004
【図４】
0003581127.tif 000005
【図５】
0003581127.tif 000006
【図６】
0003581127.tif 000007
【図７】
0003581127.tif 000008